(57)【要約】      （修正有）【課題】著作部材をセットする手間が従来よりも少なく、簡単かつ気軽に著作部材を入れ替えることのできる額縁を提供する。【解決手段】額縁１において、箱状部材５０の収容用開口５４は、箱状部材５０に収容された場合における著作部材の表示面に沿った方向から著作部材を出し入れ可能となる位置関係で設けられている。そして、この開口を介して、箱状部材５０に対して著作部材が出し入れ可能となる。そのため、額縁１を裏返す作業を行うことなく、設置したままの状態で収容用開口５４から著作部材を出し入れすることができる。このように、著作部材をセットする際に額縁１を裏返す必要がなくなり、簡単かつ気軽に著作部材をセットできる。【選択図】図１
0003128051.tif 000002
【実用新案登録請求の範囲】
【請求項１】
著作物が表示されてなるシート状の著作部材を収容可能な内部空間を有する箱状の箱状部材からなる額縁であって、
前記箱状部材には、
前記箱状部材の外表面のうち、前記内部空間に収容される前記著作部材において著作物の表示される表示面側に位置する領域から、前記内部空間まで至るように形成され、前記箱状部材の外側から前記著作部材の表示面を視認可能とするための視認用開口と、
前記箱状部材の外表面から前記内部空間まで至るように形成され、前記箱状部材の外側と前記内部空間との間で前記著作部材を出し入れ可能とするための収容用開口と、が設けられており、
該収容用開口は、前記内部空間に収容された場合における前記著作部材の表示面に沿った方向から前記著作部材を前記内部空間に出し入れ可能となる位置関係で設けられている
ことを特徴とする額縁。
【請求項２】
前記箱状部材における前記収容用開口の周辺の領域に設けられ、該収容用開口を開放または閉鎖するための蓋となる開閉蓋部材を備えている
ことを特徴とする請求項１に記載の額縁。
【請求項３】
前記箱状部材の前記内部空間において、該内部空間に収容された前記著作部材の表示面と交差する方向の厚さは、複数の前記著作部材を重ねて収容できる厚さとなるように形成されている
ことを特徴とする請求項１または請求項２に記載の額縁。
【請求項４】
前記箱状部材における前記内部空間のうち、該内部空間に収容された前記著作部材における表示面と反対の面側となる領域に収容された状態で、該著作部材を前記視認用開口側へ付勢する著作付勢部材を備えている
ことを特徴とする請求項１から３いずれかに記載の額縁。
【請求項５】
前記著作付勢部材は、帯状のシートを一定の領域毎に折り畳むことで形成されており、該領域のうち１以上の領域それぞれに、前記著作部材を保持可能なポケットが設けられている
ことを特徴とする請求項４に記載の額縁。
【請求項６】
前記箱状部材における前記内部空間のうち、該内部空間に収容された前記著作部材における表示面と反対の面側となる領域に収容されるシート状の部材であって、その表面において前記著作部材が任意の位置に配置される著作配置部材を備えている
ことを特徴とする請求項１から５のいずれかに記載の額縁。
【請求項７】
前記著作配置部材は、その表面において、該著作部材の形状それぞれに合わせて該著作部材を配置すべき位置を示す位置表示がなされている
ことを特徴とする請求項６に記載の額縁。
【請求項８】
前記箱状部材における前記内部空間のうち、該内部空間に収容された前記著作部材の表示面と前記視認用開口との間に収容されるシート状の部材であって、該視認用開口を介して前記著作部材の表示面のうちの少なくとも一部を前記箱状部材の外側から視認可能とするための開口が形成されてなる視認開口部材を備えている
ことを特徴とする請求項１から７のいずれかに記載の額縁。
【請求項９】
前記視認開口部材における開口は、その裏面から表面に向けて外径が拡がるような形状で形成されている
ことを特徴とする請求項８に記載の額縁。
【請求項１０】
前記視認開口部材は、その開口の周辺に位置する領域が前記視認用開口から前記著作部材に向かう凹状となっている
ことを特徴とする請求項８または請求項９に記載の額縁。
【請求項１１】
前記視認開口部材は、前記内部空間に収容された場合において視認用開口側となる面の裏面に、前記著作部材を保持可能な保持部材が設けられている
ことを特徴とする請求項８から１０のいずれかに記載の額縁。
【請求項１２】
前記箱状部材における内部空間のうち、該内部空間に収容された前記著作部材の表示面と前記視認用開口との間に収容されるシート状の部材であって、該視認用開口を介して前記著作部材の表示面のうちの少なくとも一部を前記箱状部材の外側から視認可能とすべく、その一部領域が透明な部材により形成されている視認透明部材を備えている
ことを特徴とする請求項１から１１のいずれかに記載の額縁。
【考案の詳細な説明】
【技術分野】
【０００１】
本考案は、著作物が表示されてなるシート状の著作部材を収容可能な額縁に関する。
【背景技術】
【０００２】
著作物が表示されてなるシート状の著作部材を収容可能な内部空間を有する箱状の箱状部材からなる額縁は、その裏面に著作部材を出し入れするための蓋（裏蓋）が設けられており、この裏蓋を取り外すことによって、内部空間への著作部材の出し入れが可能となるように構成されたものが一般的である。
【考案の開示】
【考案が解決しようとする課題】
【０００３】
しかし、このような額縁においては、著作部材を額縁の表面から鑑賞できるように飾るにあたり、所定の場所に設置している額縁を裏返したうえで、裏蓋を取り外して著作部材をセットした後、再度、裏蓋を取り付け、その後、額縁を設置し直す必要がある。
【０００４】
このように、従来の額縁では、額縁に著作部材をセットするための手間が多く、気軽に著作部材を入れ替えるといったことができないという問題があった。
本考案は、このような課題を解決するためになされたものであり、その目的は、著作部材をセットする手間が従来よりも少なく、簡単かつ気軽に著作部材を入れ替えることのできる額縁を提供することである。
【課題を解決するための手段】
【０００５】
上述した問題点を解決するためになされた請求項１に記載の考案は、著作物が表示されてなるシート状の著作部材を収容可能な内部空間を有する箱状の箱状部材からなる額縁であって、前記箱状部材において、前記箱状部材の外表面のうち、前記内部空間に収容される前記著作部材において著作物の表示される表示面側に位置する領域から、前記内部空間まで至るように形成され、前記箱状部材の外側から前記著作部材の表示面を視認可能とするための視認用開口と、前記箱状部材の外表面から前記内部空間まで至るように形成され、前記箱状部材の外側と前記内部空間との間で前記著作部材を出し入れ可能とするための収容用開口と、が設けられており、該収容用開口が、前記内部空間に収容された場合における前記著作部材の表示面に沿った方向から前記著作部材を前記内部空間に出し入れ可能となる位置関係で設けられている額縁である。
【０００６】
このように構成された額縁によれば、収容用開口が、内部空間に収容された場合における著作部材の表示面に沿った方向から著作部材を内部空間に出し入れ可能となる位置関係で設けられているため、額縁を裏返す作業を行うことなく、設置したままの状態で収容用開口から著作部材を出し入れすることができる。
【０００７】
このように、著作部材をセットする際に額縁を裏返す必要がなくなるため、簡単かつ気軽に著作部材をセットできるようになる。
なお、上述した視認用開口は、額縁を構成する箱状部材の外側から著作部材の表示面を視認できるのであれば、その具体的な形状は特に限定されない。その具体的な形状の例としては、例えば、視認用開口を、矩形，円形，多角形などの幾何学的な形状や、ハートや果物のような何かをモチーフにした形状とすることが考えられる。
【０００８】
また、上述した収容用開口は、箱状部材の外側と内部空間との間で著作部材を出し入れするために充分な大きさであればよい。
ところで、上述した額縁は、著作部材が額縁から脱落することを防止できれば、それにより著作部材を紛失してしまうことを防止できるため好適である。
【０００９】
このためには、例えば、請求項１の構成を、請求項２に記載の額縁のように構成することが考えられる。
この額縁は、前記箱状部材における前記収容用開口の周辺の領域に設けられ、該収容用開口を開放または閉鎖するための蓋となる開閉蓋部材を備えている。
【００１０】
このような開閉蓋部を備える額縁によれば、開閉蓋部材により収容用開口を開放または閉鎖することができる。そのため、その収容用開口を開放することで、簡単かつ気軽に著作部材をセットできることはもちろん、その収容用開口を閉鎖することで、著作部材が額縁から脱落してしまうことを防止できる。
【００１１】
なお、上述した開閉蓋部材は、著作部材の脱落を防止できればよく、収容用開口の一部分のみを閉鎖する構成としてもよいし、収容用開口全体を閉鎖する構成としてもよい。
また、上述した開閉蓋部材は、箱状部材に対して着脱可能に取り付けてもよく、着脱不能に取り付けてもよい。
【００１２】
また、請求項１または請求項２に記載された額縁は、請求項３に記載したように構成してもよい。
この構成における前記箱状部材の前記内部空間において、該内部空間に収容された前記著作部材の表示面と交差する方向の厚さは、複数の前記著作部材を重ねて収容できる厚さとなるように形成されている。
【００１３】
このように内部空間が形成されていれば、複数の著作部材を内部空間にまとめて収容しておくことができる。これにより、収容した著作部材のうち、最も視認用開口に近いものを外部から視認可能な状態でセットしつつ、この著作部材と同じ場所に他の著作部材を収容することができる。
【００１４】
また、こうして他の著作部材を収容できることから、その収容された著作部材の入れ替えを容易かつ気軽に行うことができる。
また、請求項１から３のいずれかに記載された額縁は、請求項４に記載したように構成してもよい。
【００１５】
この額縁は、前記箱状部材における前記内部空間のうち、該内部空間に収容された前記著作部材における表示面と反対の面側となる領域に収容された状態で、該著作部材を前記視認用開口側へ付勢する著作付勢部材を備えている。
【００１６】
このような著作付勢部材を備える額縁であれば、著作部材は、著作付勢部材によって視認用開口側に付勢されることになる。そのため、内部空間に収容された著作部材全体の厚さが内部空間の厚さに対して薄く、著作部材の表示面と視認用開口との間に隙間ができてしまうような場合であっても、その隙間をなくすことができる。
【００１７】
なお、上述した著作付勢部材は、著作部材を視認用開口側へ付勢できれば、その具体的な構成は特に限定されない。例えば、著作部材を視認用開口側へ付勢するバネなどを著作付勢部材として用いる構成が考えられる。
【００１８】
また、上述したもの以外の例として、著作付勢部材として折り畳んだシートを用いる構成が考えられる。なお、この構成においては、そのシートに著作部材を収納させることが可能となるように構成することも考えられる。
【００１９】
このためには、請求項４の構成を、請求項５に記載した額縁のように構成すればよい。
この構成において、前記著作付勢部材は、帯状のシートを一定の領域毎に折り畳むことで形成されており、該領域のうち１以上の領域それぞれに、前記著作部材を保持可能なポケットが設けられている。
【００２０】
このように著作付勢部材が形成されていれば、そのポケットに著作部材を入れて収納することができる。また、そのポケットには、著作部材以外のものを収納してもよく、例えば、著作部材に対する記録やコメントなどを記載したメモを、その著作部材と同じポケットに収納すれば、その著作部材と関連付けた情報を収納することができる。
【００２１】
また、請求項１から５のいずれかに記載された額縁は、請求項６に記載したように構成してもよい。
この額縁は、前記箱状部材における前記内部空間のうち、該内部空間に収容された前記著作部材における表示面と反対の面側となる領域に収容されるシート状の部材であって、その表面において前記著作部材が任意の位置に配置される著作配置部材を備えている。
【００２２】
このような著作配置部材を備える額縁であれば、著作部材の大きさが内部空間に比べて小さい場合であっても、著作部材を著作配置部材における所定の位置に配置することにより、著作部材を視認用開口における適切な位置にセットすることができる。
【００２３】
また、大きさの異なる著作部材であっても、それぞれの著作部材を、著作配置部材において対応する位置に配置することで、著作部材の大きさに拘らず同じ大きさの著作配置部材にて飾ることができる。
【００２４】
なお、この著作配置部材は、著作部材を任意の位置に配置できれば、その具体的な構成は特に限定されない。例えば、シート状の部材に接着剤が塗布されている構成や、シート状の部材に著作部材をはめ込むための切り込みが形成されている構成とすることなどが考えられる。
【００２５】
また、請求項６の著作配置部材においては、著作部材の適切な位置への配置を容易にするために、請求項７に記載のように構成してもよい。
この構成において、前記著作配置部材は、その表示面において、該著作部材の形状それぞれに合わせて該著作部材を配置すべき位置を示す位置表示がなされている。
【００２６】
このように構成された著作配置部材であれば、位置表示にあわせて著作部材を配置することにより、著作部材を適切な位置に配置することが容易になる。
また、請求項１から７のいずれかに記載された額縁は、請求項８に記載したように構成してもよい。
【００２７】
この額縁は、前記箱状部材における前記内部空間のうち、該内部空間に収容された前記著作部材の表示面と前記視認用開口との間に収容されるシート状の部材であって、該視認用開口を介して前記著作部材の表示面のうちの少なくとも一部を前記箱状部材の外側から視認可能とするための開口が形成されてなる視認開口部材を備えている。
【００２８】
このような視認開口部材を備える額縁であれば、視認開口部材により著作部材に装飾を施すことができる。
また、視認開口部材の開口を著作部材より小さくすることで、箱状部材における視認用開口より小さい著作部材を飾る場合であっても、著作部材の外周が視認用開口を介して見えることによって美観が損なわれてしまうことを防止できる。
【００２９】
なお、上述した視認開口部材は、額縁を構成する箱状部材の外側から著作部材の表示面のうち少なくとも一部を視認できるのであれば、その開口の具体的な形状は特に限定されない。その具体的な形状の例としては、例えば、矩形，円形，多角形などの幾何学的な形状や、ハートや果物のような何かをモチーフにした形状とすることが考えられる。
【００３０】
また、上述した視認開口部材は、その開口の周辺において装飾を施してもよい。例えば、視認開口部材の開口の周辺に絵柄を配置したり、凹凸により絵柄を表したり、などといった装飾を施すことが考えられる。
【００３１】
また、上述した視認開口部材の開口における深さ方向の内周面は、視認開口部材の厚さ方向に対して平行に形成すればよい。しかしながら、その内周面は、視認開口部材における視認用開口側の面から著作部材の表示面に向けてスムーズに繋がる形状となっていることが、視認用開口における視認用開口側の面と著作部材の表示面との段差を目立たなくして著作部材の美観を良好に保つために好適といえる。
【００３２】
そのような形状を実現するためには、請求項８の構成を、請求項９に記載の額縁のように構成することが考えられる。
この構成において、前記視認開口部材における開口は、その裏面から表面に向けて外径が拡がるような形状で形成されている。
【００３３】
このように視認開口部材における開口が形成されていれば、その開口の内周面が、視認開口部材の視認用開口側の面から著作部材の表示面にスムーズに繋がることになり、その段差が目立たなくなるため、著作部材の美観を損なうことを防止できる。
【００３４】
また、請求項８または請求項９の視認開口部材においては、額縁に立体感を持たせるために、請求項１０に記載のように構成してもよい。
この構成において、前記視認開口部材は、その開口の周辺に位置する領域が前記視認用開口から前記著作部材に向かう凹状となっている。
【００３５】
このように構成された視認開口部材であれば、額縁に立体感を持たせることができる。そのため、その状態で著作部材を飾ることができ、立体感のある装飾を実現できる。
また、視認開口部材による装飾効果を十分に保つために、請求項８から１０のいずれかの視認開口部材は、請求項１１に記載のように構成してもよい。
【００３６】
この構成において、前記視認開口部材は、前記内部空間に収容された場合において視認用開口側となる面の裏面に、前記著作部材を保持可能な保持部材が設けられている。
このように構成された視認開口部材であれば、保持部材によって、著作部材を、その著作部材が視認用開口から適切に視認できるような位置関係を維持した状態でセットすることができる。そのため、著作部材が適切な位置からズレることで美観が損なわれてしまうことを防止できる。
【００３７】
また、請求項１から１１のいずれかに記載の額縁は、請求項１２に記載したように構成してもよい。
この額縁は、前記箱状部材における内部空間のうち、該内部空間に収容された前記著作部材の表示面と前記視認用開口との間に収容されるシート状の部材であって、該視認用開口を介して前記著作部材の表示面のうちの少なくとも一部を前記箱状部材の外側から視認可能とすべく、その一部領域が透明な部材により形成されている視認透明部材を備えている。
【００３８】
このような視認透明部材を備えた額縁であれば、著作部材に視認透明部材を重ねた状態で、視認透明部材の表面に任意の書き込みを行うことができる。そのため、その書き込みによる装飾を、著作部材を汚すことなく、その著作部材に重ねて施すことができる。
【００３９】
なお、この視認透明部材は、その少なくとも一部が透明な部材により形成されていればよく、その具体的な構成は特に限定されない。例えば、視認透明部材全体が透明な部材で形成された構成や、一部の領域のみが透明な部材で形成された構成が考えられる。また、上述した後者の構成の場合には、透明な部材で形成された領域以外の領域に、絵柄などの装飾が施されていてもよい。
【００４０】
さらに、複数の視認透明部材を重ねて使用してもよく、この場合、視認透明部材の書き込みや絵柄などを組み合わせた装飾を施すことができる。
【考案を実施するための最良の形態】
【００４１】
以下に本考案の実施形態を図面と共に説明する。
（１）全体構成
本実施形態の額縁１は、図１（ａ）に示すように、著作物が表示されてなるシート状の著作部材（例えば、絵画や写真など）を収容するためのものであって、帯状のシートを一定の領域毎に折り畳むことで形成された付勢用台紙１０と、著作部材が配置される面を有するシート状の配置台紙２０と、少なくとも一部の領域（本実施形態においては全領域）が透明な部材により形成されているシート状の透明シート３０と、四角形の開口４２が形成されてなるシート状の化粧台紙４０と、上述した付勢用台紙１０，配置台紙２０，透明シート３０，および，化粧台紙４０をその順番に重ねた状態で収容する箱状部材５０などで構成される。
【００４２】
付勢用台紙１０は、図２に示すように、その折り畳んだ領域のうち１以上の領域それぞれに、著作部材を保持可能なポケット１２が設けられている。このポケット１２は、四角形のシートにおける３辺が付勢用台紙１０に貼り付けられることで形成される。そして、そのシートにおいて貼り付けられていない１辺側から著作部材を出し入れすることができる。
【００４３】
また、この付勢用台紙１０は、折り畳まれた帯状のシートの弾性力によって、配置台紙２０に配置された著作部材を視認用開口５２に向けて付勢することができる。
また、配置台紙２０は、図３に示すように、その表面において、著作部材の形状それぞれに合わせて著作部材を配置すべき位置を示すために、その位置に著作部材を配置した場合における著作部材の外周を示す位置表示２２がなされている。そして、その面において、著作部材が任意の位置に配置される。
【００４４】
なお、本実施形態においては、形状の異なる複数種類の著作部材それぞれに応じた位置表示２２がなされている。
また、化粧台紙４０は、著作部材の表示面のうちの少なくとも一部を箱状部材５０の視認用開口５２を介して視認可能とするための四角形の開口４２が形成されてなる部材であって、図４（ｂ）（図４（ａ）のＡ−Ａ断面図）に示すように、その開口４２が、その裏面から表面に向けて外径が拡がるような形状となっている。また、その開口４２の周辺に位置する開口周辺領域４４は、図４（ａ）に示すように、裏面に向かう凹状となっている。
【００４５】
また、箱状部材５０は、図５（ａ）に示すように、四角柱の領域と、四角錐台の領域（四角錐の上端側を切断した領域）とを重ねた形状となっており、視認用開口５２，収容用開口５４，蓋部５６などが形成されている。
【００４６】
この箱状部材５０において、視認用開口５２は、箱状部材５０の外表面において、箱状部材５０に収容される著作部材において著作物の表示される表示面側に位置する領域に形成される四角形の開口である。そして、この開口を介して、箱状部材５０の外側から著作部材の表示面が視認可能となる。
【００４７】
また、収容用開口５４は、箱状部材５０の外表面において、箱状部材５０に収容された場合における著作部材の表示面に沿った方向から著作部材を箱状部材５０に出し入れ可能となる位置関係で設けられる箱状部材５０の側面に沿った形状の開口である。そして、この開口を介して、箱状部材５０に対して著作部材が出し入れ可能となる。
【００４８】
なお、本実施形態において、収容用開口５４は、視認用開口５２が形成された前面（図５（ａ）における上面）と交差する側面（図５（ａ）における右側面）に形成されている。
【００４９】
また、蓋部５６は、箱状部材５０における収容用開口５４の周辺の領域において着脱不能に設けられ、収容用開口５４を開放（図５（ａ）参照）または閉鎖（図５（ｂ）参照）することができるように構成されている。
【００５０】
なお、このような構成の額縁１において、箱状部材５０に、上述した付勢用台紙１０，配置台紙２０，透明シート３０，および，化粧台紙４０を収容したうえで、収容用開口５４を蓋部５６で閉鎖した状態を図１（ｂ）に示す。
（２）効果
このように構成された額縁１においては、収容用開口５４が、箱状部材５０に収容された場合における著作部材の表示面に沿った方向から著作部材を箱状部材５０に出し入れ可能となる位置関係で設けられているため、額縁１を裏返す作業を行うことなく、設置したままの状態で収容用開口５４から著作部材を出し入れすることができる。
【００５１】
このように、著作部材をセットする際に額縁１を裏返す必要がなくなるため、簡単かつ気軽に著作部材をセットできるようになる。
また、本実施形態の額縁１によれば、蓋部５６により収容用開口５４を開放または閉鎖することができる。
【００５２】
そのため、その収容用開口５４を開放することで、簡単かつ気軽に著作部材をセットできることはもちろん、その収容用開口５４を閉鎖することで、著作部材が額縁１から脱落してしまうことを防止でき、それにより著作部材を紛失してしまうことを防止できる。
【００５３】
また、本実施形態の額縁１において、箱状部材５０は、その内部に複数の著作部材をまとめて収容しておくことができる。
そのため、収容した著作部材のうち、最も視認用開口５２に近いものを外部から視認可能な状態でセットしつつ、この著作部材と同じ場所に他の著作部材を収容することができる。
【００５４】
また、こうして他の著作部材を収容できることから、その収容された著作部材の入れ替えを容易かつ気軽に行うことができる。
また、本実施形態の額縁１において、付勢用台紙１０は、折り畳まれた帯状のシートの弾性力によって、配置台紙２０を視認用開口５２に向けて付勢する。
【００５５】
そのため、箱状部材５０に収容された付勢用台紙１０，配置台紙２０，透明シート３０，化粧台紙４０などの収容物全体の厚さが箱状部材５０の厚さに対して薄く、著作部材の表示面と視認用開口５２との間に隙間ができてしまうような場合であっても、その隙間をなくすことができる。
【００５６】
また、本実施形態の額縁１において、付勢用台紙１０には、その折り畳んだ領域のうち１以上の領域それぞれに、著作部材を保持可能なポケット１２が設けられている。そのため、複数の著作部材をポケット１２に入れた状態で、箱状部材５０に収容しておくことができる。
【００５７】
また、上述したポケット１２には、著作部材以外のものを収納してもよく、例えば、著作部材に対する記録やコメントなどを記載したメモを、その著作部材と同じポケット１２に収納すれば、その著作部材と関連付けた情報を収納することができる。
【００５８】
また、本実施形態の額縁１は、著作部材が配置される面を有するシート状の配置台紙２０を備えている。
そのため、著作部材の大きさが箱状部材５０に比べて小さい場合であっても、著作部材を配置台紙２０における所定の位置に配置することにより、著作部材を視認用開口５２における適切な位置にセットすることができる。
【００５９】
また、大きさの異なる著作部材であっても、それぞれの著作部材を、配置台紙２０において対応する位置表示２２に合わせて配置することで、著作部材の大きさに拘らず同じ大きさの配置台紙２０にて飾ることができる。
【００６０】
さらに、本実施形態の配置台紙２０は、その表面において、著作部材の形状それぞれに合わせて著作部材を配置すべき位置を示すために、著作部材を配置した際の外周の位置を示す位置表示２２がなされている。そのため、位置表示２２にあわせて著作部材を配置することにより、著作部材を適切な位置に配置することが容易になる。
【００６１】
また、本実施形態の額縁１は、著作部材の表示面のうちの少なくとも一部を視認可能とするための開口が形成されてなるシート状の化粧台紙４０を備えている。そのため、この化粧台紙４０により著作部材に装飾を施すことができる。
【００６２】
また、著作部材が視認用開口５２より小さい場合であっても、化粧台紙４０の開口４２が著作部材より小さければ、著作部材の外周側の領域を化粧台紙４０で覆い隠して飾ることができる。そのため、視認用開口５２より小さい著作部材を飾る場合であっても、著作部材の外周が視認用開口５２を介して見えることによって美観が損なわれてしまうことを防止できる。
【００６３】
また、上述した化粧台紙４０は、その開口４２が、その裏面から表面に向けて外径が拡がるような形状となっている。そのため、その開口の内周面が、化粧台紙４０の視認用開口５２側の面から著作部材の表示面にスムーズに繋がることになり、その段差が目立たなくなるため、著作部材の美観を損なうことを防止できる。
【００６４】
さらに、上述した化粧台紙４０は、その開口４２の周辺に位置する開口周辺領域４４が、裏面に向かう凹状となっている。そのため、額縁１に立体感を持たせることができる結果、その状態で著作部材を飾ることができ、立体感のある装飾を実現できる。
【００６５】
また、本実施形態の額縁１は、少なくとも一部の領域（本実施形態においては全領域）が透明な部材により形成されているシート状の透明シート３０を備えている。
そのため、著作部材に透明シート３０を重ねた状態で、透明シート３０の表面に任意の書き込みを行うことができる。それにより、その書き込みによる装飾を、著作部材を汚すことなく、その著作部材に重ねて施すことができる。
（３）変形例
以上、本考案の実施の形態について説明したが、本考案は、上記実施形態に何ら限定されることはなく、本考案の技術的範囲に属する限り種々の形態をとり得ることはいうまでもない。
【００６６】
例えば、上記実施形態においては、視認用開口５２が四角形であるものを例示した。しかし、本考案の視認用開口５２は、額縁１を構成する箱状部材５０の外側から著作部材の表示面を視認できるのであれば、その具体的な形状は特に限定されない。例えば、視認用開口５２を、円形，多角形などの幾何学的な形状や、ハートや果物のような何かをモチーフにした形状とすることが考えられる。
【００６７】
また、上記実施形態においては、収容用開口５４の大きさは特に限定していないが、箱状部材５０に対して著作部材を出し入れするために充分な大きさであればよい。
また、上記実施形態において、蓋部５６は、収容用開口５４全体を閉鎖する構成を例示した。しかし、著作部材の脱落を防止できれば、収容用開口５４の一部分のみを閉鎖する構成としてもよい。
【００６８】
また、上記実施形態において、蓋部５６は、箱状部材５０に対して着脱不能に設けられた構成を例示した。しかし、著作部材の脱落を防止できれば、箱状部材に対して着脱可能に設けられていてもよい。
【００６９】
また、上記実施形態においては、付勢用台紙１０における折り畳まれた帯状のシートが著作部材を付勢する構成について例示した。しかし、著作部材を視認用開口５２側へ付勢できれば、その具体的な構成は特に限定されない。例えば、バネが著作部材を視認用開口５２側へ付勢する構成が考えられる。
【００７０】
また、上記実施形態においては、著作部材が配置される部材として位置表示２２がなされた配置台紙２０が用いられる構成を例示した。しかし、著作部材を任意の位置に配置できるものであれば、その具体的な構成は特に限定されない。
【００７１】
例えば、配置台紙２０を、図６に示すように、その表面に接着剤が塗布されるシート状の接着板２４と、接着板２４を覆うように配置される透明のフィルム２６と、からなる構成とすることが考えられる。このように形成された配置台紙２０において、著作部材は、接着板２４の表面における任意の位置に配置された後、フィルム２６で覆われる。
【００７２】
また、上記の構成以外の例としては、配置台紙２０を、著作部材をはめ込むための切り込みが形成されているシート状の部材からなる構成とすることが考えられる。
また、上記実施形態においては、化粧台紙４０の開口４２が四角形であるものを例示した。しかし、本考案の開口４２は、額縁１を構成する箱状部材５０の外側から著作部材の表示面のうち少なくとも一部を視認できるのであれば、その具体的な形状は特に限定されない。例えば、開口４２を、円形，多角形などの幾何学的な形状や、ハートや果物のような何かをモチーフにした形状とすることが考えられる。
【００７３】
また、上記実施形態においては、化粧台紙４０における開口周辺領域４４に、何ら装飾が施されていない構成を例示した。しかし、例えば、開口周辺領域４４に装飾を施した構成としてもよい。具体的には、開口周辺領域４４に絵柄を配置したり、凹凸により絵柄を表したりすることなどが考えられる。
【００７４】
また、上記実施形態において、透明シート３０は、その全領域が透明な部材で形成されている構成を例示した。しかし、透明シート３０は、一部の領域のみが透明な部材で形成された構成としてもよい。さらに、このように構成された透明シート３０においては、透明な部材で形成された領域以外の領域に、絵柄などの装飾を施した構成としてもよい。
【００７５】
また、上記実施形態においては、箱状部材５０に透明シート３０が一枚のみ収容される構成を例示した。しかし、著作部材の表示面のうち少なくとも一部が視認できれば、その具体的な枚数は特に限定されない。例えば、透明シート３０が複数枚重ねて収容される構成が考えられる。このように透明シート３０が収容されていれば、著作部材に、複数の透明シート３０の書き込みや絵柄などを組み合わせた装飾を施すことができる。
【００７６】
また、上記実施形態においては、化粧台紙４０および配置台紙２０はそれぞれ別々に箱状部材５０に収容される構成を例示した。しかし、配置台紙２０が化粧台紙４０に保持されるようにし、こうして配置台紙２０が化粧台紙４０に保持された状態で箱状部材５０に収容される構成としてもよい。
【００７７】
そのためには、例えば、化粧台紙４０の外周面に沿った一部領域において、化粧台紙４０の裏面と対面する面により、化粧台紙４０の裏面との間で配置台紙２０を挟み込んで保持する保持部材４６を化粧台紙４０に設けた構成とすることが考えられる。そして、その保持部材４６により配置台紙２０を挟み込んだ状態で箱状部材５０に収容するとよい。
【００７８】
このように配置台紙２０が化粧台紙４０に保持された状態で箱状部材５０に収容されていれば、保持部材４６によって、著作部材を、その著作部材が視認用開口５２から適切に視認できるような位置関係を維持した状態でセットすることができる。そのため、著作部材が適切な位置からズレることで美観が損なわれてしまうことを防止できる。
【００７９】
なお、上述した保持部材４６は、化粧台紙４０の外周面に沿った一部領域に形成される構成を例示したが、化粧台紙４０の裏面との間で配置台紙２０を挟みこんで保持できれば、どのような構成であってもよい。例えば、保持部材４６は、図７（ｂ）に示すように、化粧台紙４０の裏面全体を覆うような面を有する構成とすることが考えられる。
【００８０】
また、上記実施形態において、箱状部材５０に収容される配置台紙２０が一つのみとなっている構成を例示した。しかし、箱状部材５０には、配置台紙２０が複数収容されていてもよい。この場合には、複数の配置台紙２０にそれぞれ著作部材を配置して箱状部材５０に収容しておけば、セットする著作部材を変更する際に、配置台紙２０に別の著作部材を配置し直す必要がなくなる。
【００８１】
また、上記実施形態においては、付勢用台紙１０，配置台紙２０，透明シート３０，化粧台紙４０全てをこの順番に重ねた状態で箱状部材５０に収容する構成を例示した。しかし、この箱状部材５０には、その用途に応じて、上述した全てのものを収容しなくてもよく、また、上述した以外の順番で収容することとしてもよい。
【００８２】
例えば、透明シート３０または化粧台紙４０によらず、著作部材のみを視認用開口５２から視認できるような装飾方法を採用したい場合であれば、これらを箱状部材５０に収容しない，または，箱状部材５０における配置台紙２０の裏側に収容することが考えられる。
【００８３】
また、付勢用台紙１０には、著作部材を収納可能なポケット１２が設けられているため、著作部材をこの付勢用台紙１０に収容された状態で視認用開口５２から視認できるような装飾方法を採用したい場合であれば、以下のように構成することが考えられる。それは、このポケット１２の一部または全部を透明な部材により形成すると共に、その透明な部材により形成された領域が視認用開口５２から視認できる位置関係となるようにポケット１２を配置し、そして、この付勢用台紙１０を箱状部材５０における配置台紙２０の表側に収容する構成である。
【００８４】
また、上記実施形態において、箱状部材５０を構成する材質は特に限定されないが、軽い材質を用いて構成すると都合がよい。軽い材質の例としては、例えば、紙を用いて箱状部材５０を構成することが考えられる。紙などの軽い材質を用いて構成された箱状部材であれば、箱状部材５０が紙などよりも重い材質にて構成された場合に比べて、額縁１全体を軽くしやすい。そのため、額縁１を持ち運んだり、設置したりすることが容易になる。
（４）本考案との対応関係
以上説明した実施形態において、付勢用台紙１０が本考案における著作付勢部材であり、配置台紙２０が本考案における著作配置部材であり、透明シート３０が本考案における視認透明部材であり、化粧台紙４０が本考案における視認開口部材であり、蓋部５６が本考案における開閉蓋部材である。
【図面の簡単な説明】
【００８５】
【図１】本考案の額縁を示す図
【図２】付勢用台紙を示す図
【図３】配置台紙を示す図
【図４】化粧台紙を示す図
【図５】箱状部材を示す図
【図６】配置台紙の変形例を示す図
【図７】化粧台紙の変形例を示す図
【符号の説明】
【００８６】
１…額縁、１０…付勢用台紙、１２…ポケット、２０…配置台紙、２２…位置表示、２４…接着板、２６…フィルム、３０…透明シート、４０…化粧台紙、４２…開口、４４…開口周辺領域、４６…保持部材、５０…箱状部材、５２…視認用開口、５４…収容用開口、５６…蓋部。
【図１】
0003128051.tif 000003
【図２】
0003128051.tif 000004
【図３】
0003128051.tif 000005
【図４】
0003128051.tif 000006
【図５】
0003128051.tif 000007
【図６】
0003128051.tif 000008
【図７】
0003128051.tif 000009